(57)【要約】【課題】ペットの排尿を衛生的に処理し、ペットシート等廃棄物を出さない経済的な物。人工芝を使用する事により排尿跡がわからず、ペットがいやがらず足を汚さず、美観のよいペットトイレを提供する。【解決手段】排尿受器５の上に透水性のよい人工芝２を敷きこむ事に依り、排尿を一箇所に集め排尿貯留器本体１７に溜め排尿を一括廃棄処理できる。透水性が良い為にペットもその後の排尿を嫌がらずその上にする事が足も汚れる事無く衛生的であり排尿跡が見えなく衛生的になる。排尿口７に排尿パイプ２２を接続する事により排尿、清掃水を下水、側溝に流す事ができる。【選択図】    図１
2004313114.tif 000002
【特許請求の範囲】
【請求項１】
浅い排尿受器に透過性のよい一体成形合成樹脂人工芝または、有孔マットを敷き込んで清掃時に簡単に取出す事のできるペットトイレ。
【請求項２】
排尿受器の下に尿を溜めるために設置する排尿貯留器。この排尿貯留器の中に波動防止枠を入れることで、容器を持運ぶ時に尿が毀れないように廃棄する事ができ、排尿貯留器の蓋をとり波動防止枠を分解することができ、容器内が簡単に清掃できる衛生的な排尿貯留器。
【請求項３】
排水口に軽量発泡ウレタン球を入れ排水弁を構成する。この排水弁設置する事により排水口より臭気上、拡散を防ぐことができるペットトイレ。
【請求項４】
排尿受器の下の排尿貯留器を撤去し排尿パイプを取付けることにより、排水溝、下水パイプ等に接続する事ができる。この事により常に排尿、あるいは清掃水を下水に流す事ができる衛生的で便利なペットトイレである。
【発明の詳細な説明】
【０００１】
【発明が属する技術分野】
本発明は、家庭内で飼育されるペット、特に犬、猫の排糞尿の場として好適なペットトイレに関するものである。
【０００２】
【従来の技術】
従来のペットトイレは吸収式のペットシート、吸収マット、タオル、紙、砂等を箱に敷きこんで適時交換して使用するものである。使い捨ての物がほとんどで廃棄物を多く出し経済的でない。
【０００３】
このようなペットトイレは排尿後表面に尿がしみてペットの足に付き、あるいはその後の排尿を嫌い他の場所でする事がある。特に室内で飼育している場合は衛生上、美観的にも問題がある。
【０００４】
【発明が解決しようとする課題】
解決しようとする問題点は従来のペットシート、吸収マット等は排尿を吸収保持はするが排尿後足に付着し臭気の発生、又排尿した後にその上での排尿を嫌うことがある。また美観上、衛生上、経済性に問題がある。
【０００５】
問題点はペットシート、吸収マット等はペットの排尿の量、頻度により交換をしなくてはならない、処理に手間がかかる、再利用のできない物がほとんどで２次的廃棄物が発生、経済的でない。
【０００６】
従って、本発明は、衛生的で、美観的であり、２次的廃棄物も少なくなり糞尿も処理が容易にでき且つ経済的なペットトイレを提供する事を目的とするものである。
【０００７】
【課題を解決するための手段】
本発明は、ペットの排便する場所を衛生的、美観的にし２次的廃棄物を少なくするために排便場所に人工芝をしくことである。この人工芝は一体成形合成樹脂で作られた硬質で有孔型、且つ下部には突起の付いた物で一般汎用品を使用する。この人工芝は連結しないで単品を敷き込んだもので、排尿は即透過し、排便は硬質人工芝である為排除しやすく、又汚れた時もその部分のみを取出して清掃すればよい。
【０００８】
排尿処理は下部に設けた排尿貯留器に溜まり衛生的に一括処理２次的な廃棄物が出るのを少なくし処理の手間を省く事ができる。  又ペットトイレを置く場所によっては排尿貯留器を撤去し排尿口に排尿パイプを下水等に接続する事で常に排尿でき、清掃時の排水も衛生的に処理できる。
【０００９】
本発明は組立、解体が簡単であるために清掃が非常にしやすい。  特に排尿貯留器は浅いトレイ部分と、波動防止板部分、上蓋部分に分かれていて波動防止板部分は板状の物を合欠ぎし組み立てた物で清掃するとき解体する事により簡単に掃除できる。
【００１０】
【発明の実施の説明】
以下本発明を、実施形態に基づき図面を参照しながら説明をする。
図１は本発明のペットトイレの実施形態の全体斜視図を示すものである。一部人工芝２部分を破断して示す、本体枠１は、骨格部分でこれに全ての部品が取付く。人工芝２は一体成形合成樹脂芝がよく数枚のピース状で１枚ずつ簡単に取出せるもの。  また人工芝は硬質緻密なもので、マットベースが格子状で下部に突起が出ているピース物で床面に密着しない構造の物であることが重要なポイントである。  排尿した場合尿は即透過し、排便は付着しずらく容易にとりのぞくことができる。  又排便で汚れた場合でも、その部分のみを取出して水洗清掃することができる。  マット自体ピース物であるから全部を簡単に取りだし清掃できる。外柵３は樹脂、あるいは樹脂被服のスチール格子で、ペットがトイレを跨いで排便することを防ぐ為の物で、本体枠１の取り付け穴に差し込んで組み立てる。格子の開いている所がペットの入り口となる。排尿貯留器引出し口４、の引き手部分である。  排尿受器５、はステンレスや合成樹脂でできたトレイ状の物でこの上にペットが上がるので変形しない強度が必要である。この上を排尿が流れるので排尿受器に、矢折６で、あるいは一体成形で水勾配をつける。
【００１１】
図２は上部の人口芝を取り外した時の本発明品斜視図である。  排尿受器５、矢折６、排尿口７、排尿受器５の低部に排尿口７を設置し排尿受器に排尿を集め排尿する物である。
【００１２】
図３は図２のＡ−Ａ断面図である。本体１に排尿貯留器本体１７がセットされている断面図で、排尿口７の真下に排尿貯留器本体受口１５がある。
【００１３】
図４は排尿受器５、の斜視図である。排尿受器５の構造は矢折６、あるいは一体成形し水勾配をつけ、その低部に排水口７を設け下部に流す。  周囲には立ち上がり部を設け人工芝２のずれ、排尿のこぼれを防ぐ。
【００１４】
図５は排尿受器５の断面図である。
【００１５】
請求項３の構造説明をする。  図６は排尿受器５の排尿口７の部分詳細図である。排尿口７の中に発泡ウレタン球９を入れる、球の下には球より少し小さい穴をあけておき、穴にかぶさるように落としこむと排水弁１０として成り立つ、目的は発泡ウレタン球９で非常に軽い物で、この筒状の中に排尿が流れ込む事に依り球が水圧により発泡ウレタン球９が動きその隙間から排尿が流れ落ちる。排尿が無い時には球が穴の上に有り蓋をした状態になり、下部からの臭気の上昇を防ぐ、これが本発明の排水弁１０である。排尿受器５は至極簡単である為に清掃しやすくゴミつまりの処理もしやすいものである。
【００１６】
図７は本体枠１の斜視図である。排尿貯留器４、引出し口、排尿受器受縁１１、排尿受器受台１２、本体枠底板１３、排尿パイプ設置穴１４。
【００１７】
図８は請求項２の本発明品排尿貯留器の全体の斜視図である。  排尿貯留器の構造を説明する。  排尿貯留器引手４、排尿貯留器受口１５，排尿貯留器蓋１６、これは半硬質の密閉型の蓋がよい、排尿貯留器本体枠１７。
【００１８】
図９は排尿貯留器のＢ―Ｂ断面図である。
【００１９】
図１０は排尿貯留器の排尿貯留器蓋１６を外した時の斜視図である。  排尿貯留器の中に波動防止枠が設置されている。
【００２０】
図１１は波動防止枠の斜視図である。  波動防止枠縦板２０、波動防止枠横板１９、波動防止枠横板１９は波動防止枠縦板２０より２ｍｍ高さを短くし下端に２ｍｍの隙間をつくるように縦板と横板を合欠し組み立てる。  これにより底板との間に２ｍｍの隙間があき尿は全体に溜まるが排出する時は除序に流れる事になる。  この装置を排尿貯留器本体１７の中に設置する事で中に溜まった尿は、この排尿貯留器本体１７を取出すとき、持運ぶときの急激な変動による尿の波立ちを防ぎ容器からこぼれるのを防ぐ効果がある。  排尿貯留器本体１７は小さく、薄い箱に排尿が入る為に常に清潔にする必要がある。  よって清掃時はこの箱の蓋を外し中の波動防止枠の縦板と横板を合欠部分から取り外す事により一枚一枚の板になり隅々の清掃が非常にしやすく清潔である。
【００２１】
図１２は排尿貯留器本体１７でトレイ状の器である。排尿廃棄口１８を付けることで廃棄処分する時に周囲を汚さずに処理できる容器である。
【００２２】
図１３は請求項４の本発明品排尿口７に排水パイプ２１を取付けた断面図である。
【００２３】
図１４は本体枠１に排水パイプ２１を取付けたときの斜視図である。
排尿受器５の下の排尿貯留器本体１７を撤去して排水パイプ受口２１を取付ける事に依り排尿を常に排水する事ができる物で、排水パイプ受口２１は排尿口７の外径より大きいものとする。  排水パイプ受口２１は本体枠底板に固定して置き、排水貯留器５を上から落としこむ事になる為に簡単に入る余裕のある大きさを必要とする。  排水パイプ２２は一般汎用品１３ｍｍが使いやすく、設置する場所により本体枠１にあけた排水パイプ設置穴１４を通して外に導く。  屋外のベランダ、あるいは地面に置いてもよいが排水勾配には十分注意が必要である。  排尿パイプ２２は下水、側溝に接続する事により常に排尿排尿受器５で受けた排尿、水洗清掃水の排水にも十分対応できる便利なものである。
【００２４】
【発明の効果】
以上説明したように本発明は非常に簡単な構造で、人工芝２、排水パイプ２２等は一般汎用品を使用する事で、後のメンテナンスもしやすく、解体も簡単なために清掃しやすく衛生的である。
【００２５】
請求項１の効果として、人工芝２は一体成形合成樹脂で硬質のものを敷きこむ事に依りペットの足が汚れにくい。  以前の排尿跡が見ない、以前の排尿が溜まっていないのでペットがいやがらず次の排尿がしやすくなる。糞も人工芝２の為に採取しやすく、汚れた場合でもその部分の人口芝２の一枚みを取出して清掃することができる。人工芝２が金網等の場合は糞の一部が下に落ち尿と混ざりこれ以下の排水パイプ２２を詰まらせることになる。  金網の場合網の下が見える事に依りペットはそれに興味を示し、引っかいたりする事が人工芝２ではその心配がない。
【００２６】
請求項２の効果として排尿貯留器本体１７の中に波動防止板を入れる事により排尿処分の為に排尿貯留器本体１７を引き出す時、便所等に運ぶ時に容器の中で波打ちこぼれこぼれる事を防止る。  構造も簡単なので上蓋を外し波動防止板を取りだし板を外すことにより常に簡単に清掃する事ができ衛生的である。
【００２７】
請求項３の効果として排尿受器の底部の排尿口に発泡ウレタン球９を入れ排水弁１０を作る事により、排尿受器５と排尿貯留受器本体１７等を遮断する事ができ、臭気の拡散を極力少なくする事ができる。
【００２８】
請求項４の効果として排尿受器５の底部の排尿口７に排水パイプ２２を接続し、さらに下水、側溝に接続する事により毎日の排尿処理から飼い主は開放され、清掃水もそのまま流せる。屋外に設置した場合降雨によりあふれる事も無く排水され臭気の発生を防ぎ衛生的である。
このようにする事で排尿処理も容器に溜めて便所等に流す事ができ、排水パイプを繋ぐ事により下水、側溝に流す事ができる事によりペットシート、吸収マット等の消耗品を用いる事無くペットの排尿処理ができ、ペットシート等がゴミとして排出される事も無くなり経済的で自然にやさしいトイレである。  室内に置いても人工芝である為に排尿跡も見えず外観も上良く衛生的によいトイレである。
【図面の簡単な説明】
【図１】本発明のペットトイレの実施形態を示す一部破断斜視図である。
【図２】図１の人工芝を撤去した時の斜視図である。
【図３】図１のＡ−Ａ断面図である。
【図４】排尿受器の斜視図である。
【図５】排尿受器の断面図である。
【図６】排尿受器の断面図下部にある排尿口の断面図である。
【図７】本体枠―上部外柵、排尿受器を撤去した時の斜視図である。
【図８】排尿貯留器の全体斜視図である。
【図９】排尿貯留器のＢ−Ｂ断面図である。
【図１０】排尿貯留器の蓋を外した時の斜視図である。
【図１１】排尿貯留器の中にセットされている波動防止板の斜視図である。
【図１２】排尿貯留器の容器部分の斜視図である。
【図１３】排尿受器の排尿口に排水パイプをセットした時の斜視図である。
【図１４】図７本体枠に排水パイプをセットした斜視図である。
【符号の説明】
１本体枠
２人工芝（一体成形合成樹脂芝）
３外柵
４排尿貯留器引出口
５排尿受器
６矢折
７排尿口
８排尿受器枠
９発泡ウレタン球
１０排尿口弁
１１排尿受器台枠
１２排尿受器台
１３本体枠底板
１４排尿パイプ設置穴
１５排尿貯留器受口
１６排尿貯留器蓋
１７排尿貯留器本体
１８排尿廃棄口
１９波動防止枠横板
２０波動防止枠縦板
２１排尿パイプ受口
２２排尿パイプ
【図１】
2004313114.tif 000003
【図２】
2004313114.tif 000004
【図３】
2004313114.tif 000005
【図４】
2004313114.tif 000006
【図５】
2004313114.tif 000007
【図６】
2004313114.tif 000008
【図７】
2004313114.tif 000009
【図８】
2004313114.tif 000010
【図９】
2004313114.tif 000011
【図１０】
2004313114.tif 000012
【図１１】
2004313114.tif 000013
【図１２】
2004313114.tif 000014
【図１３】
2004313114.tif 000015
【図１４】
2004313114.tif 000016